(57)【要約】      （修正有）【課題】透明で意匠性に富み、偏光特性を利用して目視で真正性を判定する偽造防止システムに適用可能な透明プラスチック容器を提供する。【解決手段】全光線透過率が８５％以上、曇り度が７％以下のポリスチレン系樹脂からなる透明プラスチックシートを、ガラス転移温度＋５０℃以上、ガラス転移温度＋１３０℃以下のシート温度で真空、圧空もしくは真空・圧空成形することにより、平面部の歪量が１５０ｎｍ以下である透明プラスチック容器１とする。【選択図】図２
2008081172.tif 000002
【特許請求の範囲】
【請求項１】
自然光に含まれる特定偏光成分の特殊光のみ反射する真正性識別体を付した物品を収納する偽造防止システム用透明プラスチック容器であって、全光線透過率が８５％以上、曇り度が７％以下の透明プラスチックシートを成形してなり、平面部の歪量が１５０ｎｍ以下であることを特徴とする偽造防止システム用透明プラスチック容器。
【請求項２】
上記透明プラスチックシートがポリスチレン系樹脂或いはポリ塩化ビニル系樹脂からなる請求項１に記載の偽造防止システム用透明プラスチック容器。
【請求項３】
請求項１に記載の偽造防止システム用透明プラスチック容器の製造方法であって、全光線透過率が８５％以上、曇り度が７％以下のポリスチレン系樹脂からなる透明プラスチックシートを、ガラス転移温度＋５０℃以上、ガラス転移温度＋１３０℃以下のシート温度で真空、圧空もしくは真空・圧空成形することを特徴とする偽造防止システム用透明プラスチック容器の製造方法。
【請求項４】
上記ポリスチレン系樹脂が、ブタジエン含有量が３０重量％以下のスチレン−ブタジエン共重合体２０〜１００重量％と、ブタジエン含有量が４０重量％以上のスチレン−ブタジエン共重合体０〜３０重量％と、スチレン−（メタ）アクリル酸エステル共重合体０〜８０重量％からなる組成物である請求項３に記載の偽造防止システム用透明プラスチック容器の製造方法。
【請求項５】
請求項１に記載の偽造防止システム用透明プラスチック容器の製造方法であって、全光線透過率が８５％以上、曇り度が７％以下のポリ塩化ビニル系樹脂からなる透明プラスチックシートを、ガラス転移温度＋８０℃以上、ガラス転移温度＋１３０℃以下のシート温度で真空、圧空もしくは真空・圧空成形することを特徴とする偽造防止システム用透明プラスチック容器の製造方法。
【発明の詳細な説明】
【技術分野】
【０００１】
本発明は家電製品、電子部品、パーソナルコンピュータ用サプライ品、自動車部品、衣料品、装飾品等の物品の包装に用いる透明プラスチック容器であり、係る物品の偽造防止システムに対応した透明プラスチック容器である。
【背景技術】
【０００２】
従来、家電製品、電子部品、パーソナルコンピュータ用サプライ品、自動車部品、衣料品、装飾品、或いは各種カードなどの偽造防止のために、各種偽造防止ラベルが開発されている。このような偽造防止ラベルは偽造防止対象物に貼付し、これを目視又は機械的に判定することで対象物の真正性を証明するための識別媒体として利用されている。このような真正性識別体はホログラムや液晶性フィルムなどが知られており、例えば、特許文献１〜６等に紹介されている。係る真正性識別体を付した偽造防止対象物品、各種カードなどの真偽の判別は専用センサーで該真正性識別体の光学特性を直接読み取ることで行われている。
【０００３】
専用センサーを用いずに目視で真偽を判別する方法として、例えば特許文献６に開示されているシステムが挙げられる。係るシステムでは、自然光に含まれる特定波長で特定偏光成分の特殊光のみ反射する真正性識別体と、この特殊光を透過させるフィルターと透過させないフィルターの２枚のフィルターを備えた判別具（以降、簡易ビュアーと呼ぶ）を用意し、前者を透して真正性識別体を目視するとホログラム像が見え、後者を透して識別体を目視するとホログラム像が見えず黒に見えた場合にのみこの識別体が貼付された物品が真正品、偽造物品でないと容易に判定することができる。このように、物品に貼付された真正性識別体に簡易ビュアーを直接あてることにより真正性を判定することは非常に簡便で有効な手段であり、その応用が拡大しつつある。
【０００４】
【特許文献１】特開昭６３−５１１９３号公報
【特許文献２】特開平８−４３８０４号公報
【特許文献３】特開平５−３３４４７７号公報
【特許文献４】特開２００１−３９１００号公報
【特許文献５】特開２００５−９１７８６号公報
【特許文献６】国際公開第００／１３０６５号パンフレット
【発明の開示】
【発明が解決しようとする課題】
【０００５】
一方、多数の電子部品、電気部品、自動車部品、衣料宝飾品などは、輸送中の破損防止、店頭での汚れ防止或いは意匠性等種々の必要性から包装材に包まれている場合が非常に多くなっている。係る包装材として代表的なものに透明なプラスチックシートを成形加工したブリスターパックが良く知られている。
【０００６】
前記した簡易ビュアーを用いて真正性の判定が可能な真正性識別体を貼付した物品をこのようなブリスターパックで包装した場合、物品に貼付された真正性識別体は、該ブリスターパックを介して簡易ビュアーで観察することになるが、実際にブリスターパックで包装した物品に貼付された真正性識別体を簡易ビュアーで観察した場合に、真正性の判定ができないという不都合が発生している。具体的には、簡易ビュアーの２枚の特殊フィルターを通じて一方のフィルターではホログラム像が観察され、他方では見えないという組み合わせで真正性が判定できるものが、両方のフィルターとも見えにくくなったり、全く逆に本来見えない方で見えたり、見える方で見えなくなる等の現象が発生している。そのため、係る真正性識別体を用いた偽造防止システムの用途が制限されてしまっている。ブリスターパックに当該真正性識別体を貼付することも試みられているが、最終的な確認として物品自体に貼付されていることが望ましく、当該偽造防止システムに対応可能なブリスターパックが望まれている。
【０００７】
本発明の課題は、透明で意匠性に富み、偏光特性を利用して目視で真正性を判定する偽造防止システムに適用可能な透明プラスチック容器を提供することである。
【課題を解決するための手段】
【０００８】
本発明の第１は、自然光に含まれる特定偏光成分の特殊光のみ反射する真正性識別体を付した物品を収納する偽造防止システム用透明プラスチック容器であって、全光線透過率が８５％以上、曇り度が７％以下の透明プラスチックシートを成形してなり、平面部の歪量が１５０ｎｍ以下であることを特徴とする。
【０００９】
上記透明プラスチックシートが、ポリスチレン系樹脂或いはポリ塩化ビニル系樹脂からなる。
【００１０】
本発明の第２は、上記本発明第１の偽造防止システム用透明プラスチック容器の製造方法であって、全光線透過率が８５％以上、曇り度が７％以下のポリスチレン系樹脂からなる透明プラスチックシートを、ガラス転移温度＋５０℃以上、ガラス転移温度＋１３０℃以下のシート温度で真空、圧空もしくは真空・圧空成形することを特徴とする。
【００１１】
本発明第２において、上記ポリスチレン系樹脂が、ブタジエン含有量が３０重量％以下のスチレン−ブタジエン共重合体２０〜１００重量％と、ブタジエン含有量が４０重量％以上のスチレン−ブタジエン共重合体０〜３０重量％と、スチレン−（メタ）アクリル酸エステル共重合体０〜８０重量％からなる組成物であることが好ましい。
【００１２】
本発明の第３は、上記本発明第１の偽造防止システム用透明プラスチック容器の製造方法であって、全光線透過率が８５％以上、曇り度が７％以下のポリ塩化ビニル系樹脂からなる透明プラスチックシートを、ガラス転移温度＋８０℃以上、ガラス転移温度＋１３０℃以下のシート温度で真空、圧空もしくは真空・圧空成形することを特徴とする。
【発明の効果】
【００１３】
本発明の透明プラスチック容器は、収納した物品に付した真正性識別体からの反射光を良好に透過するため、該真正性識別体を直接観察した場合と同様に、本発明の透明プラスチック容器を介して外部から該真正性識別体を観察した場合でも、良好に真偽判定を行うことができ、係る物品の偽造防止を図ることができる。
【発明を実施するための最良の形態】
【００１４】
本発明者等は、光学特性を応用した偽造防止システムに対応可能なブリスターパックを見出すべく鋭意工夫した結果、本発明を成すに至った。即ち、全光線透過率が８５％以上、曇り度が７％以下である透明プラスチックシートを成形してなり、平面部の歪量が１５０ｎｍ以下である透明プラスチック容器が真正性識別体を用いた偽造防止システムに最適に使用可能なことを見出し本発明に至った。
【００１５】
本発明に適用される偽造防止システムは、自然光に含まれる特定偏光成分の特殊光のみ反射する真正性識別体を対象物品に付し、該真正性識別体で反射された特殊光を検知して真正性を判定するシステムである。特殊光の検知には、該特殊光を透過させるフィルターと透過させないフィルターの２枚のフィルターを備えた簡易ビュアーを用い、一方のフィルターではホログラム像が見え、他方のフィルターではホログラム像が見えずに黒色となる組み合わせの場合に真正品であり、異なる見え方をした場合には偽造物品であると目視により判定することができる。或いは、係る簡易ビュアーを透過した透過光量を電気光学的に検出してその差により真正品か否かを判定することもできる。
【００１６】
より具体的には、国際公開第００／１３０６５号パンフレットに記載されている真正性識別体を用いることができる。即ち、入射した光のうち、左円偏光又は右円偏光のいずれか一方のみを反射する円偏光選択性を有する反射性フィルムと、該反射性フィルムで反射される反射光と同一或いは異なる円偏光の光を反射光と異なる方向に反射させてホログラム像を形成するホログラム形成部とを有する真正性識別フィルムである。係るフィルムに左円偏光及び右円偏光を含む光を照射し、左円偏光のみ及び右円偏光のみを透過する２種のフィルターを有する簡易ビュアーを介して目視した際に、一方のフィルターではホログラム像が見え、他方のフィルターではホログラム像が見えずに黒色となる場合に、真正品であると判定される。また、上記簡易ビュアーからの透過光量の差を電気光学的に検出してその差により真正品であるか否かを判定することも可能である。
【００１７】
図４に、上記円偏光を利用した真正性識別体の構成例を示す。図４（ａ）は反射性フィルムで反射した円偏光と同じ円偏光を反射してホログラム像を形成する場合、図４（ｂ）は反射性フィルムで反射した円偏光と異なる円偏光を反射してホログラム像を形成する場合のそれぞれの構成例の断面模式図である。図中、１１は反射性フィルム、１１ａはホログラム形成部、１２は保護層、１３は光吸収層、１４は基板フィルム、１５はホログラム形成層、１５ａはホログラム形成部である。
【００１８】
図４（ａ）において、反射性フィルム１１は、入射した光のうち、左円偏光または右円偏光のいずれか一方の光のみを反射させて反射光を生成する層である。また、反射性フィルム１１の片側界面には、ホログラム形成部１１ａが設けられている。ホログラム形成部１１ａは、反射性フィルム１１で反射する反射光と同一の円偏光の光を反射光と異なる方向に反射してホログラム像を形成する。即ち、反射性フィルム１１は、反射性フィルム１１の保護層１２側表面及び層内部において、左円偏光または右円偏光のいずれか一方の光のみを反射させ、反射光を生成する。反射光と同一の光はさらにホログラム形成部１１ａにまで達し、このホログラム形成部１１ａにおいて反射光と異なる方向に反射してホログラム像を形成する。
【００１９】
また、図４（ｂ）の構成では、反射性フィルム１１は、左円偏光または右円偏光のいずれか一方の光のみを反射させ、ホログラム形成層１５は反射性フィルム１１からの反射光と反対の円偏光の光を透過させてホログラム形成部１５ａにおいて反射させホログラム像を形成する。
【００２０】
図４（ａ）、（ｂ）のいずれの構成においても、反射性フィルム１１としてはコレステリック液晶配向を固定化した高分子フィルムなど光学的に選択反射性及び円偏光選択性を示す媒体が用いられる。
【００２１】
係る偽造防止システムとしては、トラストグラム（商品名、日本発条株式会社製）が市販されている。
【００２２】
また、上記した以外にも、特開２００５−９１７８６号公報や特開２００１−３９１００号公報に記載の、ネマチック液晶やサーモトロピック液晶を用い部分的に位相差をつけ、偏光フィルターや円偏光フィルターで判定する構成や、特開２００３−７３６００号公報に記載のようにコステリック液晶顔料をインクに印刷したものを円偏光フィルターで判定する構成も本発明において好ましく用いられる。
【００２３】
本発明でいう透明プラスチックシートの全光線透過率は、ＪＩＳ  Ｋ７１０５により準拠して厚み１ｍｍの成形前のシートで測定された値を示しており、この値が８５％以上でなければならない。全光線透過率が８５％未満の場合、ブリスターパックとしての最大の利点である内部商品を綺麗に見せるという機能が失われるだけでなく、ホログラム像や印刷絵柄も見えにくくなり好ましくない。
【００２４】
また、透明プラスチックシートの曇り度は、ＪＩＳ  Ｋ７１０５に準拠して厚み１ｍｍの成形前のシートで測定された値を示しており、この値が７％以下でなくてはならない。曇り度が７％を超える場合、前記全光線透過度と同様に商品価値の低下、及び真正性判定に基準であるホログラム像や印刷絵柄が見えにくくなり好ましくない。
【００２５】
本発明で言う歪量とはリタデーションとも呼称され、高分子材料の光学特性の指標である複屈折を起こす値として知られており、Ｌｕｃｅｏ社製Ｓｔｒａｉｎ−ｍｅｔｅｒ（型番；例えばＬＳＭ−４０１）によって測定された値をいう。これによって測定された歪量を肉厚で除したものが複屈折として一般に知られている。複屈折があると入射光の方向により位相差が生じ、偏光が変化する。例えば円偏光の入射光が、楕円偏光になったり、直線偏光の入射光が円偏光になったりする。
【００２６】
本発明においては容器の平面部における歪量の値が１５０ｎｍ以下であり、好ましくは１００ｎｍ以下である。係る歪量が１５０ｎｍを超える場合、簡易ビュアー等の判定具を用いた真正性の判定が不能になる。具体的には、明るく見える、或いはホログラム像が認識できるはずのフィルター側で見えなくなったり、暗く見える、或いはホログラム像が見えないはずのフィルター側で逆に明るく見えたり、ホログラム像が認識されるといった不具合が生じ、判定が不能となる。また、電気光学的に自動判定する判定機器も同様に判定不能となってしまう等の問題が生じてしまう。
【００２７】
尚、本発明において容器の平面部とは、実質的に平板な部分を言い、外部より物品に付した真正性識別体を該部分を透かして観察しうる部分を言う。例えば、物品を収納する箱形の凹部を形成した容器であれば、箱の底部、側面部が係る平面部に該当する。
【００２８】
次に、本発明の製造方法について説明する。上記した本発明の透明プラスチック容器は、真空、圧空、もしくは真空・圧空成形により成形することができる。これらの成形方法は、ブリスターパック容器の成形方法として良く知られた方法である。
【００２９】
真空、圧空、もしくは真空・圧空成形では、通常、プラスチックシートを軟化点以上に加熱し、成形する。この時、軟化温度の指標としてガラス転移温度を用いた場合には、ガラス転移温度以上で成形可能な限り低温が推奨されており、例えばポリスチレン系樹脂、ＡＢＳ樹脂なら１４０℃、ポリ塩化ビニル系樹脂なら１２０℃程度が推奨されている。
【００３０】
しかしながら、本発明においては、成形時のプラスチックシートの温度を通常の成形温度よりも高い温度に設定する。本発明においてはポリスチレン系樹脂或いはポリ塩化ビニル系樹脂が好ましく用いられるが、ポリスチレン系樹脂においては、ガラス転移温度＋５０℃以上、好ましくは７０℃以上、且つガラス転移温度＋１３０℃以下で成形する。プラスチックシートの温度がガラス転移温度＋５０℃未満では容器平面部の歪量が１５０ｎｍを超え、真正性の判定が困難になる。一方、ガラス転移温度＋１３０℃を超えると、成形時のドローダウンが大きくなり真空・圧空成形が困難になる、異常に成形時間が長くなる、シートの材料自体が劣化してしまう等の問題が起こる。
【００３１】
また、ポリ塩化ビニル系樹脂においては成形時のシート温度はガラス転移温度＋８０℃以上、且つガラス転移温度＋１３０℃以下で成形する。ガラス転移温度＋８０℃未満では容器平面部の歪量が１５０ｎｍを超え、真正性の判定が困難になる。一方、ガラス転移温度＋１３０℃を超えると、成形時のドローダウンが大きくなり真空・圧空成形が困難になる、異常に成形時間が長くなる、シートの材料自体が劣化してしまう等の問題が起こる。
【００３２】
本発明で言うガラス転移温度とは、ＪＩＳ  Ｋ７１２１に準拠したもので示差熱熱量計（ＤＳＣ）、例えば島津製作所製ＤＳＣ−６０にて測定した値である。本発明においてはＤＳＣ測定時の昇温速度＝５℃／分で測定されたものを言う。複数のガラス転移温度を示す透明プラスチックシートの場合は、最も顕著に示されるガラス転移温度を言う。また、当該ガラス転移温度は成形前のシートのガラス転移温度を示している。
【００３３】
ブリスターパック容器向け透明プラスチックシートとしては、各種透明プラスチック材料が使用可能であり、一般的なブリスターパック材料としてはポリエステル系樹脂、ポリスチレン系樹脂、ポリ塩化ビニル系樹脂が挙げられる。本発明においてはブリスターパックとしての機能、例えば光学特性、強度、耐衝撃性に優れ、包装材料としてのコストパフォーマンスにも優れ、且つ真空・圧空成形後も低い歪量を示すという観点からポリスチレン系樹脂、ポリ塩化ビニル系樹脂が好ましく使用される。
【００３４】
本発明において用いられるポリスチレン系樹脂としては、スチレン単独重合体、スチレン−（メタ）アクリル酸エステル共重合体、スチレン−ブタジエンブロック共重合体、スチレン−イソプレンブロック共重合体が好ましい。特にポリブタジエン或いはスチレン−ブタジエン共重合体を衝撃吸収体としての分散相を形成するものとして用いて、連続相をスチレン−（メタ）アクリル酸エステルとした透明高衝撃ポリスチレンが好ましく適用される。（メタ）アクリル酸エステルとは、メタクリル酸メチル、メタクリル酸メチル、アクリル酸メチル、アクリル酸エチル、アクリル酸プロピル、アクリル酸ｎ−ブチルなどで、中でもメタクリル酸メチル、アクリル酸ｎ−ブチルが好ましく、これらは単独で用いてもよいが、２種類以上を併用しても良い。スチレン−（メタ）アクリル酸エステル共重合体における（メタ）アクリル酸エステル含有量は８〜２０重量％が好ましい範囲である。
【００３５】
衝撃性をさらに要求されるブリスター容器としては、前述のスチレン−ブタジエンブロック共重合体の一部にスチレン系エラストマーとしてブタジエン含有量の高い共重合体或いはこれらの水素添加物、例えばスチレン−エチレン−ブチレンエラストマーを本発明の光学特性を満たす範囲で使用することもできる。
【００３６】
本発明においては、ブタジエン含有量が３０重量％以下のスチレン−ブタジエン共重合体２０〜１００重量％と、ブタジエン含有量が４０重量％以上のスチレン−ブタジエン共重合体０〜３０重量％と、スチレン−（メタ）アクリル酸アルキル共重合体０〜８０重量％からなる樹脂が成形後の歪量の低さ、ブリスターパックとしての透明性及び衝撃性と剛性のバランスが優れていることから好ましく用いられる。
【００３７】
さらに好ましくはスチレン−（メタ）アクリル酸エステル共重合体、特に（メタ）アクリル酸エステルとしてアクリル酸ｎ−ブチル及び／またはメタクリル酸メチルを用いた共重合体２０重量％〜４５重量％、スチレン−ブタジエンブロック共重合体としてブタジエン含有量が３０重量％以下のスチレン−ブタジエンブロック共重合体３５〜８０重量％、スチレン−ブタジエンブロック共重合体としてブタジエン含有量が４０重量％以上のスチレン−ブタジエン共重合体５〜２０重量％からなるシートが衝撃性、剛性、透明性及び成形後の歪量の低さ及びコストの面から好ましく用いられる。
【００３８】
本発明に用いられるポリ塩化ビニル系樹脂としては、硬質ポリ塩化ビニル樹脂が好ましく使用されるが、耐衝撃性の向上のために可塑剤或いは、熱安定剤、滑材等の添加材も適宜添加される。更に本発明においては、ブリスターパックとしての光学特性、耐衝撃性及び成形後の低歪性を損なわない範囲で上記以外の各種樹脂、エラストマー、熱安定剤、洗顔料などの各種添加材を加えることが可能である。
【００３９】
本発明において、成形前の原反シート、即ち透明プラスチックシートの厚みは０．１ｍｍ〜２．０ｍｍ、好ましくは０．３ｍｍ〜１．８ｍｍであり、成形後のブリスターパックとして使用される場合の厚みは容器形状或いは場所によって異なるが０．０５ｍｍ〜１．５ｍｍの範囲が好ましい。０．０５ｍｍ未満ではブリスターパックとしての強度、剛性に問題が生じる。また厚みが１．５ｍｍを超えると透明性、意匠性さらにコストの面からも好ましくない。
【実施例】
【００４０】
以下に本発明を実施例でもって具体的に説明するが、本発明はこれらに制限されるものではない。
【００４１】
（実施例１）
スチレン−アクリル酸ｎ−ブチル共重合体（スチレン／アクリル酸ブチル重量比率：９０／１０）３０重量％、スチレン−ブタジエン共重合体（スチレン／ブタジエン重量比率：７８／２２）７０重量％からなる組成物をＴダイ押出し機を用いて厚み１ｍｍのシートを作製した。得られたシートの全光線透過率は９０％、曇り度は５％、ガラス転移温度は７４℃であった。全光線透過率及び曇り度は厚み１ｍｍシートでＪＩＳ  Ｋ７１０５での測定値を示す。また、ガラス転移温度はＪＩＳ  Ｋ７１２１に準拠し、島津製作所製ＤＳＣ−６０にて昇温速度５℃／分で測定した。このシートを真空成形機（半田産業製）を用いて図１に示す１６０ｍｍ（Ｗ）×３００ｍｍ（Ｌ）×１２０ｍｍ（Ｈ）の箱型の容器１を成形した。尚、図１中（ａ）は斜視図、（ｂ）は正面図、（ｃ）は側面図である。加熱した際のシート温度を赤外線温度計で測定したところ、１６０℃であった。
【００４２】
該容器１の箱形の底部に相当する位置の光学的歪量をＬｕｃｅｏ社製Ｓｔｒａｉｎ−Ｍｅｔｅｒ（型番；ＬＳＭ−４０１）にて測定したところ、歪量は４０ｎｍであった。
【００４３】
得られた容器１の内部に図２に示すように真正性識別体３として「トラストグラムＴＧ−８０」（商品名、日本発条製）を貼付した物品２を内蔵し、次いで簡易ビュアー４（ＴＧ−８０付属；日本発条製）を図２に示すように容器１の上部に配置した。その結果、目視により、簡易ビュアー４の一方のフィルターを透してトラストグラム３が明視野の中に明瞭に確認可能であり、もう一方は暗視野で見えず真正品であるとの判定が容易に可能であった。結果を表１に示す。
【００４４】
尚、簡易ビュアー４は図３に示すように、２枚のフィルター５ａ、５ｂが備えられており、晴マークのついた一方のフィルター５ａを透して明視野の中に明瞭にトラストグラムが確認でき、黒丸マークのついたフィルター５ｂを透して暗視野でトラストグラムが見えない場合〔図３（ａ）〕にこのトラストグラムの貼付された物品が真正品と判定するシステムである。本実施例では簡易ビュアー４により目視により明確に真正品と判定できた場合を◎とし、不明瞭だが一応判定可能なものを○、判定できない（両方のフィルターで見える〔図３（ｂ）〕、両方のフィルターで見えない〔図３（ｄ）〕或いは逆に見える（見えるべきフィルター５ａで見えず、見えないはずのフィルター５ｂで見える〔図３（ｃ）〕）ものを×として判定した。
【００４５】
（実施例２）
真空成形時のシート温度を１８０℃とする以外は実施例１と同様に測定及び判定した。
【００４６】
（実施例３）
市販の厚さ０．７ｍｍのポリ塩化ビニルシートを用いて真空成形時の温度を１９０℃として実施例１と同様に試験を行い結果を表１に示した。
【００４７】
（実施例４）
スチレン−アクリル酸ｎ−ブチル共重合体５０重量％とスチレン−ブタジエン共重合体５０重量％の組成とした他は実施例１と同様に試験を行い、その結果を表１に示した。
【００４８】
（実施例５）
実施例１においてシートの組成をスチレン−アクリル酸ｎ−ブチル共重合体２５重量％、スチレン−メタクリル酸メチル共重合体（スチレン／メタクリル酸メチル重量比率：８５／１５）２５重量％、スチレン−ブタジエン共重合体（スチレン／ブタジエン重量比率：７８／２２）５０重量％とし、成形温度を１６７℃に変えて試験を実施した。結果を表１に示した。
【００４９】
（実施例６）
実施例１のシート材料をスチレン−ブタジエン共重合体（スチレン／ブタジエン重量比率：７５／２５）のみにした以外は実施例１と同様に試験を実施した。
【００５０】
（実施例７）
実施例１のシート材料をスチレン単独重合体１０重量％とスチレン−アクリル酸ｎ−ブチル共重合体２０重量％、スチレン−ブタジエン共重合体（スチレン／ブタジエン重量比率：７０／３０）７０重量％とし、成形温度を１７０℃にした以外は実施例１と同様に試験を実施した。
【００５１】
（実施例８）
シート材料組成をスチレン−アクリル酸ｎ−ブチル共重合体３０重量％とスチレン−ブタジエン共重合体−１（スチレン／ブタジエン重量比率：４０／６０）１０重量％、スチレン−ブタジエン共重合体−２（スチレン／ブタジエン重量比率：７７／２３）６０重量％にした以外は実施例１と同様に試験を実施した。
【００５２】
（実施例９）
シート材料組成をスチレン−アクリル酸ｎ−ブチル共重合体（スチレン／アクリル酸ブチル重量比率：９０／１０）２０重量％とスチレン−メタクリル酸メチル共重合体（スチレン／メタクリル酸メチル重量比率：８５／１５）１０重量％、スチレン−ブタジエン共重合体−１（スチレン／ブタジエン重量比率：４０／６０）１０重量％、スチレン−ブタジエン共重合体−２（スチレン／ブタジエン重量比率：７７／２３）６０重量％にし、成形温度を１７０℃とした以外は実施例１と同様に試験を実施した。
【００５３】
（実施例１０）
シート材料組成をスチレン−メタクリル酸メチル共重合体（スチレン／メタクリル酸メチル重量比率：８５／１５）３０重量％、スチレン−ブタジエン共重合体−１（スチレン／ブタジエン重量比率：４０／６０）１０重量％、スチレン−ブタジエン共重合体−２（スチレン／ブタジエン重量比率：７７／２３）６０重量％にし、成形温度を１８０℃とした以外は実施例１と同様に試験を実施した。
【００５４】
（実施例１１）
シート成形材料組成をスチレン−メタクリル酸メチル−アクリル酸ｎ−ブチル共重合体（スチレン／メタクリル酸メチル／アクリル酸ｎ−ブチル重量比率：８８／８／４）３０重量％、スチレン−ブタジエン共重合体−１（スチレン／ブタジエン重量比率：４０／６０）１０重量％、スチレン−ブタジエン共重合体−２（スチレン／ブタジエン重量比率：７７／２３）６０重量％にし、成形温度を１６０℃とした以外は実施例１と同様に試験を実施した。
【００５５】
（比較例１）
真空成形時のシートの温度を１２０℃にした以外は実施例１と同様に試験を行い結果を表１に示した。
【００５６】
（比較例２）
真空成形時のシートの温度を１５０℃とした以外は実施例３と同様に試験を行いその結果を表１に示した。
【００５７】
（比較例３）
真空成形時のシートの温度を１２５℃とした以外は実施例４と同様に試験を実施した。
【００５８】
（比較例４）
真空成形時のシートの温度を１２５℃とした以外は実施例８と同様に試験を実施した。
【００５９】
（比較例５）
真空成形時の温度を２０５℃として実施例１と同様に試験を実施した。その結果、真空成形時にドローダウンが大きく良好な成形体を得ることが出来なかった。
【００６０】
（比較例６）
真空成形時の温度を２１０℃として実施例３と同様に試験を実施した。その結果、ドローダウンが大きく成形が困難であり、かつ得られた製品は衝撃強度がかなり低下しておりブリスターパック容器として使用不能であった。
【００６１】
（比較例７〜９）
市販の厚さ１ｍｍのポリエステルシートを用いて真空成形時の温度を１２６℃、１３６℃、１５０℃とした以外は実施例１と同様に試験を実施した。結果を表１に示した。尚、１５０℃以上の温度ではポリエステルシートは結晶化が開始し、真空成形性が低下してしまい賦形が困難になるだけでなく、透明性が低下してブリスターパックとして使用不可能であった。
【００６２】
【表１】
2008081172.tif 000003
【図面の簡単な説明】
【００６３】
【図１】本発明の実施例で作製した本発明の透明プラスチック容器の形状を示す図である。
【図２】本発明の実施例において、真正性識別体を付した物品を容器内に収納した状態を示す図である。
【図３】本発明の実施例において、真正性の判定基準を示す図である。
【図４】本発明に用いられる真正性識別体の構成を示す断面模式図である。
【符号の説明】
【００６４】
１  透明プラスチック容器
２  物品
３  真正性識別体
４  簡易ビュアー
１１  反射性フィルム
１１ａ  ホログラム形成部
１２  保護層
１３  光吸収層
１４  基板フィルム
１５  ホログラム形成層
１５ａ  ホログラム形成部
【図１】
2008081172.tif 000004
【図２】
2008081172.tif 000005
【図３】
2008081172.tif 000006
【図４】
2008081172.tif 000007